(57)【要約】【課題】小型であってかつ高い刃の切り込み精度を要求されることなく製造コストが高くない容易に持ち運び可能なコーナーカッターを提供する。【解決手段】紙が載置される紙載置面１４と同一平面上に設けられた固定刃１１と、上記固定刃１１の端縁の平面形状と同一の平面形状の端縁を有し、固定刃１１の上方に配置されて上下方向に可動し、固定刃１１の端縁に圧接しうる可動刃１２とを有し、上記可動刃１２を固定刃１１に当接させることにより、紙２５を切断するコーナーカッター１０であって、上記可動刃１２を固定刃１１に圧接させうる付勢力を供給する付勢手段１７を設けたものである。【選択図】図１
2005074548.tif 000002
【特許請求の範囲】
【請求項１】
紙が載置される紙載置面と同一平面上に設けられた固定刃と、上記固定刃の端縁の平面形状と同一の平面形状の端縁を有し、固定刃の上方に配置されて上下方向に可動し、固定刃の端縁に当接しうる可動刃とを有し、上記可動刃を固定刃に当接させることにより、紙の角端部を切断するコーナーカッターであって、上記可動刃を固定刃に圧接させうる付勢力を供給する付勢手段が設けられていることを特徴とするコーナーカッター。
【請求項２】
上記固定刃は台座部上に形成された紙載置部の端部に固定されると共に、上記可動刃は上記台座部に対して上下方向に可動しうるように固定された可動部材に固定されていることを特徴とする請求項１記載のコーナーカッター。
【請求項３】
上記台座部は平面略三角形状に形成されると共に上記固定刃及び可動刃は板状に形成され、
上記固定刃は上記台座部の先端部に固定され、互いに直交するように配置された一対の側方刃部と、この一対の側方刃部の間に形成された所定の曲率を有するコーナー刃部とを有し、
上記可動刃は上記固定刃の外方に配置され、紙の切断時に、上記側方刃部及びコーナー刃部の外縁に密接しうる側方刃部及び先端刃部とを有することを特徴とする請求項１又は２記載のコーナーカッター。
【請求項４】
上記可動刃は、非切断時には、上記可動刃の一対の側方刃部の反コーナー刃部側の端部が固定刃の一対の側方刃部の反コーナー刃部側の端部に当接し、上記可動刃の先端刃部が固定刃部のコーナー刃部の上方に位置するように固定刃部平面に対して所定角度を有して配置され、可動刃と固定刃との間には切断される紙を挿入しうる間隙が形成されていることを特徴とする請求項１ないし３記載のコーナーカッター。
【請求項５】
上記可動部材は上記台座部の上面部に取り付けられ、上記可動刃は可動部材の内側部に固定され、上記可動部材は上記台座部の紙載置面に対して上下方向に可動しうるように構成され、上記可動刃の外方には、把持することにより可動部材を台座部に対して下降させうる把持部が形成されていることを特徴とする請求項２記載のコーナーカッター。
【請求項６】
上記可動部材は上記台座部に対して回動軸部を以って軸支され、上記可動部材は、常時、上記台座部に設けられた付勢部材により上記回動軸部を介して上記固定刃の反先端部方向へ付勢されていることを特徴とする請求項２又は５記載のコーナーカッター。
【請求項７】
上記台座部の反固定刃側には切断される紙の角部を上記固定刃と可動刃との間に導く一対の紙ガイド部が形成されている請求項２ないし６記載のコーナーカッター。
【発明の詳細な説明】
【技術分野】
【０００１】
本発明は、コーナーカッターに係り、特に、紙のコーナー部を安全かつ簡単に切断面を整えることができるコーナーカッターに関するものである。
【背景技術】
【０００２】
従来、事務作業もしくは家庭等において紙書類等の体裁を整えるため紙のコーナーを丸くカットする場合、機械式のコーナーカッター（例えば特許文献１、２参照）が使用されているが、比較的小規模な事務作業もしくは家庭等で使用される場合には容易に持ち運び可能な手動押し下げ式コーナーカッター（特許文献３参照）が使用されている。
【０００３】
しかしながら、機械式のコーナーカッターを用いた場合は体裁よく切断面を整えることが可能であるが、機械本体の体積が大きなものとなると同時に価格も高価なものとなるため比較的小規模な事務作業もしくは家庭等において机上で手軽に使用するには不便である。
【０００４】
手動式のコーナーカッターは比較的体積が小さく机上で用いることもできるが、例えば（特許文献３）記載の手動式コーナーカッターは固定刃と可動刃とを有し、固定刃に設けられたスリットに挿入された紙を紙スリット挿入面に対し直交方向に長さを有する鋭利な切断刃を有し、上下方向に移動させて上部より押圧させて切断するものであるため、ある程度高さ方向に空間が必要となり、製品としては高さ方向に大きなサイズとなることから、手の小さな子供などには使用しにくい。
また、比較的大きな力を必要とするため、小さな子供や力の弱い女性が使用するには不便である。
また切れ味の良い切断刃の使用が必然として要求されるが、切り込み精度が高い切断刃の作成には刃素材に相当の加工を施すことが必要であり、刃の製造コストが高価なものとなる。また一般に刃の特性より、長年の使用により切断刃の切れ味が悪くなり、長期間の使用ができない等の不具合があった。
【特許文献１】実開昭４８−０００７８９号公報
【特許文献２】実公昭５４−００５４１６号公報
【特許文献３】特開平０９−０７０７９３号公報
【発明の開示】
【発明が解決しようとする課題】
【０００５】
本発明が解決しようとする課題は、小型であってかつ高い刃の切り込み精度を要求されることなく製造コストが高くない容易に持ち運び可能なコーナーカッターを提供する点にある。
【課題を解決するための手段】
【０００６】
請求項１に記載の発明は、紙が載置される紙載置部１４と同一平面上に設けられた固定刃１１と、上記固定刃１１の端縁の平面形状と同一の平面形状の端縁を有し、固定刃１１の上方に配置されて上下方向に可動し、固定刃１１の端縁に圧接しうる可動刃１２とを有し、上記可動刃１２を固定刃１１に当接させることにより、紙２５を切断するコーナーカッター１０であって、上記可動刃１２を固定刃１１に圧接させうる付勢力を供給する付勢手段２３を設けたものである。
従って、請求項１記載の発明にあっては、可動刃１２を固定刃１１に圧接させうる付勢手段２３により、可動刃１２は固定刃１１に押し付けされ、可動刃１２と固定刃１１を確実に密接することにより、紙２５を切断する際の切断性能が向上する。
【０００７】
請求項２に記載の発明は、請求項１にかかる発明において、固定刃１１が台座部１３上に形成された紙載置部１４の端部に固定されると共に、可動刃１２は台座部１３に対して上下方向に可動しうるように固定された可動部材１５に固定されたものである。
従って、請求項２記載の発明にあっては、可動刃１２が取り付けられた可動部材１５の下降により、台座部１３上に設けられた固定刃１１と圧接することにより紙２５が切断される。
【０００８】
請求項３に記載の発明は、請求項１又は２にかかる発明において、台座部１３は平面略三角形状に形成されると共に固定刃１１及び可動刃１２は板状に形成され、上記固定刃１１は台座部１３の先端部に固定され、互いに直交するように配置された一対の側方刃部１１ａ,１１ａと、この一の側方刃部１１ａ,１１ａの間に形成された所定の曲率を有するコーナー刃部１１ｃとを有し、可動刃１２は固定刃１１の外方に配置され、紙の切断時には、上記側方刃部１１ａ，１１ａ及びコーナー刃部１１ｃに密接しうる側方側部１２ａ,１２ａ及び先端刃部１２ｃとを有するものである。
従って請求項３記載の発明にあっては、可動刃１２と固定刃１１とは同一寸法を有し、かつ同一の曲率からなるものであるため、切断時には可動刃１２と固定刃１１とは密着して当接し紙２５を切断する。
【０００９】
請求項４に記載の発明は、請求項１ないし３にかかる発明において、上記可動刃１２は、非切断時には、可動刃１２の一対の側方刃部１２ａ,１２ａの反コーナ側端部１２ｂ，１２ｂが、固定刃１１の一対の側方刃部１１ａ,１１ａの反コーナー刃部側の端部１１ｂ，１１ｂに当接し、可動刃１２の先端刃部１２ｃが固定刃部１１のコーナー刃部１１ｃの上方に位置するように固定刃部１１平面に対して所定角度を有して配置され、可動刃１２と固定刃１１との間には切断される紙を挿入しうる間隙１６が形成されているものである。
従って請求項４記載の発明にあっては、非切断時において、可動刃１２の先端刃部１２ｃが固定刃部１１のコーナー刃部１１ｃの上方に位置するよう配置されることから、可動刃１２と固定刃１１との間には被切断物を挿入しうる間隙１６が形成され、前記間隙１６に紙２５を挿入することができる。
また、可動刃１２と固定刃１１とはその刃部が所定の角度をなすよう設置されているため、可動部材１５と台座部１３とは切断時には、可動刃１２は固定刃１１の上記反コーナー刃部側端部１１ｂ，１１ｂから次第にコーナー刃部１１ｃ側へ、固定刃１１との圧接状態を維持することから紙は可動刃１２と固定刃１１との圧接点において切断され、小さな加重で切断することができ、かつ切れ味が良いものとなる。
【００１０】
請求項５に記載の発明は、請求項２にかかる発明において、可動部材１５は台座部１３の上面部に取り付けられ、可動刃１２は可動部材１５の内側部に固定され、可動部材１５は台座部１３の紙載置部１４に対して上下方向に可動しうるように構成され、可動刃１２の外方には、把持することにより可動部材１５を台座部１３に対して下降させうる把持部２１が形成されたものである。
把持部２１を指などで持つようにして上方より可動部材１５を下方に向かい押圧することにより、小さな子供や女性等比較的力の弱い者にとっても容易に小さな加重でカットすることができる。
なお、可動部材１５に形成された把持部２１は指で押しやすいよう凹面上であってもよい。また把持部２１の表面に凹凸上の滑り止め加工がなされるように構成されてもよい。
【００１１】
請求項６に記載の発明は、請求項２又は５にかかる発明において、可動部材１５は台座部１３に対して回動軸部１９を以って軸支され、可動部材１５は、常時、台座部１３に設けられた付勢部材２３により回動軸部１９を介して固定刃１１の反先端部方向へ付勢されているものである。
上記付勢部材２３としては例えばコイルスプリング等が用いられてもよい。台座部１３に設けられた付勢部材１７の付勢力により可動部材１５に設けられた回動軸部１９を固定刃１１の反先端部方向へ付勢することにより、可動部材１２に固定された可動刃１２と台座部１３に固定された固定刃１１を常時圧接状態にすることができるため、可動刃１２と固定刃１１との当接時には可動刃１２と固定刃１１との密接状態を維持することができ、切断性能が向上する。
【００１２】
請求項７に記載の発明は、請求項２ないし６にかかる発明において、台座部１３の反固定刃側には切断される紙の角部を固定刃１１と可動刃１２との間に導く一対の紙ガイド部２４が形成されたものである。
従って請求項７記載の発明にあっては、紙２５を切断する際に紙２５が紙ガイド部２４によりガイドされた状態で紙載置部１４上に置かれる。また紙のコーナー部が可動刃１２と固定刃１１との間に形成される間隙１６に一定の深さ以上に挿入されないように切断位置をセットすることができ、かつ紙コーナーの丸みが不揃いとならず一定のものに仕上げることができる。
【発明の効果】
【００１３】
本発明は、以上のように構成されているので、以下に記載されるような効果を奏する。
すなわち請求項１記載の発明によれば、可動刃１２と固定刃１１とは互いに圧接されているため、紙２５を切断する際の、切断性能が向上する。
【００１４】
請求項２記載の発明によれば請求項１に記載の発明の効果に加え、可動部材１５の下降により紙２５が切断されることから、容易に紙２５を切断することができる。
【００１５】
請求項３記載の発明によれば請求項１又は２に記載の発明の効果に加え、可動刃１２と固定刃１１とは同一寸法及び同一の曲率からなるものであるため、可動刃１２と固定刃１１とを密接することができ、切断性能が向上するとともに、切断時には可動刃１２が紙載置部１４と同一平面上に設けられた板状の固定刃１１の端縁に密接して切断されることから高さ方向に空間を必要とせず、コンパクトに設計することができる。
【００１６】
請求項４記載の発明によれば請求項１ないし３に記載の発明の効果に加え、可動刃１２と固定刃１１とはその刃部が所定の角度をなすよう設置されているため、紙切断時においては、可動刃１２は固定刃１１の上記反コーナー刃部側端部１２ｂ，１２ｂ、反コーナー刃部１１ｂ，１１ｂから次第に先端刃部１２ｃ、コーナー刃部１１ｃ側へ圧接点を移動させつつ下降することから紙２５は可動刃１２と固定刃１１との圧接点において、切断され小さな加重で切断することができ、かつ切れ味が良いものとなる。
【００１７】
請求項５記載の発明によれば請求項２に記載の発明の効果に加え、可動部材１５を台座部１３に対して下降させうる把持部２１を有することから、小さな子供や力の弱い女性等にとっても容易に小さな加重でカットすることができる。
【００１８】
請求項６記載の発明によれば請求項２又は５に記載の発明の効果に加え、回動軸部１９とスプリング固定軸２２との間に設けられたコイルスプリング等の付勢部材２３の付勢力により、可動刃１２と固定刃１１は常時圧接されるため、可動刃１２と固定刃１１とを圧接することができ、切断性能を向上させることができる。
【００１９】
請求項７記載の発明によれば請求項２ないし６に記載の発明の効果に加え、容易に紙２５をセットすることができ、かつ紙コーナーの丸みが不揃いとならず一定のものに仕上げることができる。
【図面の簡単な説明】
【００２０】
【図１】コーナーカッターの斜視図を示した説明図である。（実施例）
【図２】コーナーカッターの側面断面図を示した説明図である。（実施例）
【図３】コーナーカッターの裏面図を示した説明図である。（実施例）
【図４】コーナーカッターの蓋裏面図を示した説明図である。（実施例）
【図５】コーナーカッターの上面図を示した説明図である。（実施例）
【符号の説明】
【００２１】
１０    コーナーカッター
１１    固定刃
１１ａ  側方刃部
１１ｂ  反コーナー刃部
１１ｃ  コーナー刃部
１２    可動刃
１２ａ  側方刃部
１２ｂ  反コーナー側端部
１２ｃ  先端刃部
１３  台座部
１４  紙載置部
１５  可動部材
１６  間隙
１７  コイルスプリング
１８  ネジ
１９  回動軸部
２０  長孔
２１  把持部
２２  スプリング固定軸
２３  コイルスプリング（付勢手段）
２４  紙ガイド部
２５  紙
２６  固定孔
２７  スプリング受け筒（間隙作成用）
２８  スプリング受け壁（回動軸部用）
２９  受け部材（可動部材用）
３０  受け部材（台座部用）
３１  スプリング受け部材（可動刃側）
３２  紙の辺
３３  紙仕切り壁
３４  側板（台座部）
３５  蓋
３５ａ  蓋部（切断室）
３５ｂ  蓋部（台座部）
３６  蓋取り付け穴
３７  切断屑室
３８  蓋取付け突起
３９  蓋折り曲げ溝
４０  可動部材固定室
４１  スプリング固定軸受け部
４２  側片部
４３  側面部
【発明を実施するための最良の形態】
【００２２】
以下、添付図面に示す実施の形態に基づき、本発明にかかるコーナーカッターを詳細に説明する。
【００２３】
本実施の形態にかかるコーナーカッター１０は、図１に示すように、紙が載置される紙載置部１４と同一平面上に設けられた固定刃１１と、固定刃１１の端縁の平面形状と同一の平面形状の端縁を有し、固定刃１１の上方に配置されて上下方向に可動し、固定刃１１の端縁に当接しうる可動刃１２とを有し、可動刃１２を固定刃１１に当接させることにより、紙２５を切断するように形成され、可動刃１２を固定刃１１に圧接させうる付勢力を供給する付勢手段が設けられている。
図１に示すように、コーナーカッター１０は、所定の厚さ寸法を有して平面略三角形であって、全体が薄型箱状に形成された台座部１３と、その台座部１３の側端部に軸着され、一対の斜辺部上に設けられた平面略Ｌ字状の可動部材１５とを備えている。
上記台座部１３は及び可動部材１５は硬質の合成樹脂の型成型により作成されている。
図１に示すように、上記台座部１３上面には紙載置部１４が形成され、この上記紙載置部１４は、コーナーカッター１０において、被切断対象物である紙２５を載せ、紙２５を間隙１６に導くものである。
図１に示すように、固定刃１１は硬質の金属により作成される。コーナーカッター１０において可動刃１２とともに協働して紙２５を切断するように形成され、平面略三角形の形状からなり、紙載置部１４のコーナー刃部１１ｃにおいてネジ１８で台座部１３に固定されているとともに、一対の固定孔２６，２６に台座部１３に設けられた突起が挿入されて固定されている。その結果、固定刃１１は台座部１３に対し固着され安定して紙切断を行なうことができる。
図１及び図３示すように可動刃１２は固定刃１１と協働して間隙１６に挿入された紙２５を切断する様に形成され、平面Ｌ字型に湾曲した切断面を有する形状からなる。
【００２４】
図１に示すように、固定刃１１は台座部１３上に形成された紙載置部１４の端部に固定されると共に、可動刃１２は台座部１３に対して上下方向に可動しうるように固定された可動部材１５に固定されている。
図２に示すように、上記台座部１３は下面部が開放された中空箱状に形成され、台座部１３は裏面側において蓋３５が配されている。
図３に示すように、台座部１３は裏面側においては、可動部材固定室４０と、この可動部材固定室４０の前端部に突出形成された切断屑室３７とに分割形成されている。
図２，５に示すように蓋３５は、台座部１３裏面を閉鎖するためのものであり、ゴム、塩化ビニール等の弾性体素材からなり、蓋取り付け突起３８をそれぞれ適合する台座部１３の蓋取り付け穴３６に嵌入することにより、台座部１３に取り付けられる。
また蓋折り曲げ溝３９は折り曲げ容易にするため他蓋部分より薄く形成され、蓋取り付け時であっても、切断室３７の部分のみの蓋部３５ａと台座部１３との蓋部３５ｂとそれぞれ別個に開口可能に形成される。
切断屑室３７は切断した紙の切断屑のための断面略三角形の筒状からなり、台座部１３との間にスプリング受け筒２７，２７を介して台座部コーナー刃部１１ｃの下方に設けられている。また、可動部材１５に取り付けられた可動刃１２の下部にコイルスプリング１７を介して可動刃１２と取り付けられる。
【００２５】
図１に示すように、固定刃１１及び可動刃１２は板状に形成され、固定刃１１は平面略三角形形状に形成されて、台座部１３の先端部に固定されており、互いに直交するように配置された一対の側方刃部１１ａ，１１ａと、この一対の側方刃部１１ａ，１１ａの間に形成された所定の曲率を有するコーナー刃部１１ｃとを有する。
図１及び図３に示すように、可動刃１２は平面略Ｌ字状の細長板状に形成され、固定刃１１の外方に配置されており、紙の切断時に上記側方刃部１１ａ，１１ａ及びコーナー刃部１１ｃの外縁に当接しうる側方刃部１２ａ及び先端刃部１２ｃとを有している。
上記固定刃１１の１２ａ及び１２ｃの長さ寸法は同一であって上記側方刃部１１ａ，１１ａの長さ寸法よりも大きく形成されている。また側方刃部１２ａ，１２ａの間に形成されている先端刃部１２ｃにはその曲率上記コーナー刃部１１ｃの曲率と同一に形成されている先端刃部１２ｃにはその曲率が上記コーナー刃部１１ｃの曲率と同一に形成されている。
【００２６】
図１に示すように、可動刃１２は、非切断時には、可動刃１２の一対の側方刃部１２ａの反コーナー側端部１２ｂの端部が固定刃１１の一対の側方刃部１１ａ，１１ａの反コーナー刃部側１１ｂの端部に当接し、可動刃１２の先端刃部１２ｃが固定刃部１１のコーナー刃部１１ｃの上方に位置するように固定刃部平面に対して所定角度を有して配置され、可動刃１２と固定刃１１との間には切断される紙を挿入するための間隙１６が形成されている。
【００２７】
本実施の形態にあっては、固定刃１１の下方の台座部１３と可動刃１２との間にコイルスプリング１７が設けられ、コイルスプリング１７の付勢力により可動刃１２は固定刃１１との間に所定角度を有するように配置され、可動刃１２は常時台座部１３の上方へ付勢され上記間隙１６が形成されている。
【００２８】
図２に示すように、コイルスプリング１７は台座部１３内に設けられ、台座部１３のコーナー刃部１１ｃ下部に設けられたスプリング受け筒２７内に固定され、コイルスプリング１７の他方端部はスプリング受け部材３１に対し可動刃１２とともに可動部材１５を上方へ付勢しうるように構成されている。
また、紙２５の切断時にはコイルスプリング１７の付勢力に抗して把持部２１を通じて可動部材１５を押し下げる際のストッパーとして可動部材１５の把持部２１内部に凸状の受け部材２９および、台座部１３の外方内部にはそれに対応する凸状の受け部材３０が設けられている。
【００２９】
図１及び図４に示すように、可動部材１５は台座部１３の上面部に取り付けられ、可動刃１２は可動部材１５の内側部に固定され、可動部材１５は台座部１３の紙載置部１４に対して上下方向に可動しうるように構成され、可動刃１２の外方には、把持することにより可動部材１５を台座部１３に対して下降させうる把持部２１が形成されている。
可動部材１５は平面略Ｌ字状に形成され、一対の側片部４２，４２を有し、側片部４２，４２の間に把持部２１が形成され、中央部裏面側に可動刃１２が固定されている。
【００３０】
図１に示すように、把持部２１は凹部として形成されており、指を添えて押圧し上方より可動部材１５を台座部１３に対して下降させうるように構成されている。この場合、把持部２１の表面には凹凸上の滑り止め加工がなされており、また可動部材１５に形成された把持部２１は指で押しやすいように凹面上に形成されている。
【００３１】
図２に示すように、可動部材１５は台座部１３に対して回動軸部１９を以って軸支され、可動部材１５は、常時、台座部１３に設けられた付勢部材２３により回動軸部１９を介して固定刃１１の反先端部方向へ付勢されている。
【００３２】
図２に示すように、回動軸部１９は台座部１３の反固定刃側端部において、台座部１３の一対の側面部４３，４３の間に貫通して設けられている。
回動軸部１９の両端部は、可動部材１５の側端部４２，４２に固定されており、台座部１３の前後方向に沿って設けられた長孔２０，２０に挿通され、台座部１３の前後方向に沿って若干前後動しうるように構成されている。
【００３３】
図３に示すように、台座部１３の内部には回動軸部１９と平行となるよう設けられたスプリング固定軸２２が設けられ、コイルスプリング２３は、スプリング固定軸２２によりその中心が固定されるとともに、可動刃１２を固定刃１１に圧接させうる付勢力を供給する付勢手段としてのコイルスプリング２３の一方端部は、台座部１３内に設けられたスプリング受け壁２８に固定され、他方端部は回動軸部１９に対し圧接するように設置されている。
スプリング固定軸２２は、コイルスプリング２３が揺動しないよう固定するものであり、その軸端部は台座部１３に設けられたスプリング固定軸受け部４１，４１に固定され、コイルスプリング２３は回動軸部１９を固定刃１１の反先端部方向へ付勢している。
したがって、コイルスプリング２３の付勢力により、可動部材１５に固定された可動刃１２は固定刃１１へ常時圧接される方向に付勢され、可動刃１２と固定刃１１とを常時圧接状態にすることができるため、可動刃１２と固定刃１１との当接時には可動刃１２と固定刃１１との密接状態を維持することができ、切断性能を向上することができる。
【００３４】
図１に示すように、台座部１３の紙載置部１４の反固定刃両端部には切断される紙２５を固定刃１１と可動刃１２との間に導く一対の紙ガイド部２４，２４が形成されている。
図１に示すように、紙ガイド部２４，２４は紙載置部１４の反固定刃側両側部をそれぞれ略直角に上方へ延出して形成されている。
【００３５】
（作用）
以下、本件コーナーカッターの作用について記述する。
図１に示すように、非切断時においては、可動刃１２と固定刃１１とにより形成される間隙１６が最大の大きさで形成されている。すなわち台座部１３内に設けられたコイルスプリング受け筒２７に固定されたコイルスプリング１７の付勢力により、可動部材１５が台座部１３上方へ付勢され間隙１６が形成される。
【００３６】
この状態において、切断しようとする紙２５を紙載置部１４上に載置する。この時、台座部１３に設けられた紙載置部１４の反固定刃側には紙２５を固定刃１１と可動刃１２とにより形成される間隙１６に導くための紙ガイド部２４が形成されていることから、切断しようとする紙２５を構成する一対の紙の辺３２，３２が一対の紙ガイド部２４，２４に当接することにより、紙の位置は常に紙２５は所定量だけ可動刃１２と固定刃１１とにより形成された間隙１６に挿入される。
このことにより使用者は容易に紙をセットすることができ、かつ紙コーナーの丸みが不揃いとならず一定のものに仕上げることができる。
【００３７】
紙の辺３２，３２を紙ガイド部２４，２４に当接させた状態における、紙のコーナー切断時の説明をする。非切断時においては上述のとおり台座部１３内に設けられたコイルスプリング１７の付勢力により固定刃１１と可動刃１２とにより形成された間隙１６は開いた状態となる。
【００３８】
可動部材１５に設けられた把持部２１を上部より押し下げすることにより、可動部材１５とともに、可動刃１２も押し下げられる。この際に被切断時には可動刃１２の一対の側方刃部１２ａ，１２ａの反コーナー側端部１２ｂ，１２ｂが、固定刃１１の一対の側方刃部１１ａ，１１ａの反コーナー刃部１１ｂ，１１ｂ側の端部に当接している状態であったものが、徐々に当接点が固定刃部１１、可動刃部１２ともにそれぞれコーナー刃部１１ｃ、１２ｃ側に移動する。
すなわち、可動刃１２と固定刃１１とは所定の角度をなすよう設置されているため、可動部材１５と台座部１３とは切断時には、可動刃１２は、固定刃１１の上記反コーナー刃部側端部１１ｂから次第にコーナー刃部１１ｃ側へ、固定刃１１との圧接点を移動させつつ下降することから紙は可動刃１２と固定刃１１との圧接点において切断され、小さな加重で切断することができ、かつ切れ味が良いものとなる。そして当接点が固定刃１１、可動刃１２それぞれのコーナー刃部１１ｃ、１２ｃに至った際に紙２５が切断される。
【００３９】
このとき可動部材１５は台座部１３に対し、回動軸部１９を以って軸支されており、回動軸部１９は台座部１３に固定されたコイルスプリング２３により反コーナー刃部側へ常に付勢されており、また回動軸部１９が軸支されている長孔２０は回動軸部に直交方向に平行移動しうるよう、楕円形に形成されている。
【００４０】
従って、可動部材１５を把持部２１を通じて上部より押し圧することにより、回動軸部１９を軸として可動刃１２は押し下げられる。このとき、可動刃１２と固定刃１１との当接部分は徐々にそれぞれ反コーナ側端部１２ｂ，１２ｂ、反コーナ刃部１１ｂ，１１ｂから、先端刃部１２ｃ、コーナー刃部１１ｃ側にて移動することになる。ただし、この場合においても回動軸部１９はコイルスプリング２３により常に圧接されていることから可動刃１２と固定刃１１との当接部分は常に密接な状態となっている。したがって、可動刃と固定刃は常に点で接し、その点において紙を切断することから小さな加重でカットすることができ、かつ切れ味のよいものとなる。
【図１】
2005074548.tif 000003
【図２】
2005074548.tif 000004
【図３】
2005074548.tif 000005
【図４】
2005074548.tif 000006
【図５】
2005074548.tif 000007